(57)【要約】【課題】壁際特に角部の掃除を十分に行うことができる吸込口体及びこれを用いた電気掃除機を提供する。【解決手段】本吸込口体は、ケース体に開口形成された吸込口およびこの吸込口に連通する前側吸込口と、吸込口および前側吸込口に対向して回転自在に軸支される回転清掃体と、この回転清掃体の両側を軸支する一対の軸支部と、回転清掃体と共廻りし、この回転清掃体の軸心に対して一定方向に傾斜して延びる回転軸と、ケース体の側壁と前記軸支部間に略三角形状の空間部を形成するように傾斜して、回転軸に取付けられる円盤状の清掃部材とを備える。また、本吸込口体を備えた電気掃除機である。【選択図】  図３
2010148672.tif 000002
【特許請求の範囲】
【請求項１】
ケース体と、
このケース体に開口形成された吸込口およびこの吸込口に連通する前側吸込口と、
前記吸込口および前記前側吸込口に対向して回転自在に軸支される回転清掃体と、
この回転清掃体の両側を軸支する一対の軸支部と、
前記回転清掃体と共廻りし、この回転清掃体の軸心に対して一定方向に傾斜して延びる回転軸と、
前記ケース体の側壁と前記軸支部間に略三角形状の空間部を形成するように傾斜して、前記回転軸に取付けられる円盤状の清掃部材とを備えることを特徴とする吸込口体。
【請求項２】
前記回転軸は、可撓性を有し、一部が略円弧状あるいはヘ字状に屈折され、その状態で回転自在に軸支されるように、一端が前記軸支部に支持されかつ、他端が前記ケース体の側面に設けた軸受部に支持されることを特徴とする請求項１記載の吸込口体。
【請求項３】
前記清掃部材は、毛ブラシであることを特徴とする請求項１または２記載の吸込口体。
【請求項４】
前記清掃部材と前記軸支部間でかつ、前記回転清掃体の軸心に対して直交するように、垂直毛ブラシが前記回転軸に取付けられることを特徴とする請求項１ないし３のいずれか１項記載の吸込口体。
【請求項５】
前記清掃部材は、前記空間部が前記ケース体の前面に向かって幅広になるように傾斜して設けられることを特徴とする請求項１ないし４のいずれか１項記載の吸込口体。
【請求項６】
前記清掃部材は、その先端が略前記ケース体の角部に達している請求項５記載の吸込口体。
【請求項７】
電動送風機を収容した掃除機本体と、
この掃除機本体に対して、前記電動送風機の吸込側に連通接続される請求項１ないし６のいずれか１項記載の吸込口体とを具備することを特徴とする電気掃除機。
【発明の詳細な説明】
【技術分野】
【０００１】
本発明は吸込口体及びこれを用いた電気掃除機に係り、特に毛ブラシの支持構造を改良した吸込口体及びこれを用いた電気掃除機に関する。
【背景技術】
【０００２】
一般に電気掃除機は、掃除機本体に集塵室と、この集塵室に吸込負圧を作用させる電動送風機と設け、集塵室に集塵ホースを連結し、さらに、この集塵ホースの先端に吸込口体を設けている。
【０００３】
そして、吸込口体を被清掃面に当接して移動させ、吸込口体から含塵空気を、集塵ホースを介して集塵室に吸込み、除塵している。
【０００４】
従来、部屋の壁際において掻き取った毛髪状の塵や粉状の塵を効果的に外部に排出するために、本体ケース内に回転清掃体を軸受で軸支し、この軸受の下面に起毛布を貼付し、さらに、この起毛布の外側に回転清掃体と同期して回転する毛ブラシが軸支される（例えば、特許文献１参照）。
【０００５】
しかしながら、特許文献１に記載の吸込口体は、部屋壁や角部と回転清掃体間に大きな間隙が生じ、また、本体ケースの側壁と回転清掃体との間の間隙とが吸込通風路に連通していないため、壁際特に角部の掃除が十分にできない。
【特許文献１】特開２００５−２５３６５６号公報
【発明の開示】
【発明が解決しようとする課題】
【０００６】
本発明は上述した事情を考慮してなされたもので、壁際特に角部の掃除を十分に行うことができる吸込口体及びこれを用いた電気掃除機を提供することを目的とする。
【課題を解決するための手段】
【０００７】
上述した目的を達成するため、本発明に係る吸込口体は、ケース体と、このケース体に開口形成された吸込口およびこの吸込口に連通する前側吸込口と、前記吸込口および前記前側吸込口に対向して回転自在に軸支される回転清掃体と、この回転清掃体の両側を軸支する一対の軸支部と、前記回転清掃体と共廻りし、この回転清掃体の軸心に対して一定方向に傾斜して延びる回転軸と、前記ケース体の側壁と前記軸支部間に略三角形状の空間部を形成するように傾斜して、前記回転軸に取付けられる円盤状の清掃部材とを備えることを特徴とする。
【０００８】
また、本発明に係る電気掃除機は、電動送風機を収容した掃除機本体と、この掃除機本体に対して、前記電動送風機の吸込側に連通接続される上記吸込口体とを具備することを特徴とする。
【発明の効果】
【０００９】
本発明に係る吸込口体によれば、壁際の掃除を十分に行うことができる吸込口体を提供することができる。
【００１０】
また、本発明に係る電気掃除機によれば、壁際の掃除を十分に行うことができる吸込口体を備えた電気掃除機を提供することができる。
【発明を実施するための最良の形態】
【００１１】
本発明に係る吸込口体およびこれを備えた電気掃除機の一実施形態について添付図面を参照して説明する。
【００１２】
図１は本発明の一実施形態の電気掃除機の概念図であり、図２は本発明の一実施形態の吸込口体の斜視図であり、図３は本吸込口体のケース体を除去して示す概念図であり、図４は本吸込口体を分解して示す斜視図であり、図５は本吸込口体の底面を示す斜視図である。
【００１３】
図１に示すように、本実施形態の電気掃除機５１は、掃除機本体５２と、この掃除機本体５２の前部に形成されたホース接続口５２ａに一端が着脱可能に接続された集塵ホース５３と、この集塵ホース５３の他端に接続され、設定ボタン５４ａおよび把手部５４ｂを備えた手元操作パイプ５４と、この手元操作パイプ５４に着脱自在に接続された延長管５５と、この延長管５５の先端に着脱自在に接続された吸込口体１とを備える。
【００１４】
掃除機本体５２の内部には、集塵ホース５３に連通し、いずれも図示しない、第１の塵埃除去手段と高速で流れる空気中に含まれる塵埃を重力差で分離する高速分離方式を採用し、第２の塵埃除去手段として、プリーツフィルタとから構成される集塵ユニットを備えた集塵室５６と、この集塵室５６に吸込負圧を作用させる電動送風機５７とが設けられる。
【００１５】
図２〜図５に示すように、床ブラシである吸込口体１は、吸込口体本体としての横長のケース体２と、このケース体２の後部に設けられた接続管３とを備える。
【００１６】
ケース体２は、上側が開放されケース体２の下部をなす下ケース４と、この下ケース４の上部の後側を覆い、下ケース４との間で接続管３を回転自在に挟持する上ケース５と、この上ケース５の前部に取り付けられた蓋部としての前カバー６とを備える。
【００１７】
下ケース４には、吸込口８が設けられ、前端部に、回転清掃体７を収容する横長四角形状の主吸込口８Ａが幅方向に延びて切り欠き形成され、さらに、主吸込口８Ａに連通して前側吸込口８Ｂが形成される。従って、回転清掃体７が主吸込口８Ａおよび前側吸込口８Ｂに対向して収容される。両吸込口８Ａ、８Ｂは連通路Ｒによって、接続管３に連通される。
【００１８】
また、主吸込口８Ａの両端に設けられる一対の摺接部９、９を隔てて垂直駆動車輪１０、１０および斜め車輪１１、１１を収容する車輪収容部１２、１２が形成される。この車輪収容部１２、１２の側面部を含む下ケース４の外周には、ケース体２に比べて柔らかい材質からなり、ケース体２の側面の一部をなすバンパー部材１３、１３が設けられる。
【００１９】
また、下ケース４の後側寄りの一側には、床面に接触可能な車輪１４が設けられる。
【００２０】
さらに、この下ケース４には、床面に対向する下面側に、一対のカバー体１５、１５がそれぞれ着脱自在に螺子Ｂ、Ｂにより螺着される。
【００２１】
ケース体２には、駆動手段としての電動部である駆動源、すなわちモータ１６と、このモータ１６により回転される回転清掃体７と、この回転清掃体７の両端部に位置するとともにこの回転清掃体７と一体的に回転自在な垂直駆動車輪１０、１０および斜め車輪１１、１１と、回転清掃体７の安全スイッチとなる安全装置１７と、回路基板１８がそれぞれ設けられる。
【００２２】
安全装置１７は、床面に接触可能な車輪１４を備え、この車輪１４が、穴部４ａから下ケース４の下方へと露出している。また、安全装置１７は、モータ制御部と電気的に接続されており、車輪１４が床面に接触することでモータ制御部によるモータ１６の駆動を許可するとともに、車輪１４が床面から離間されるとモータ制御部によるモータ１６の駆動を許可しないように構成される。さらに、この安全装置１７は、例えば床面と接触した車輪１４の回転方向によって吸込口体１の走行方向を検出し、この走行方向に応じて、回転清掃体７の回転方向を切り換えるようにモータ制御部へと信号を出力可能となっている。
【００２３】
下ケース４の主吸込口８の後部には、上ケース５側へと略垂直状に立ち上がる壁部１９が形成される。
【００２４】
図６は本吸込口体のケース体を下面から見た斜視図である。
【００２５】
図６に示すように、下ケース４には、吸込口８の両側部の位置で、摺接部９、９（図５）の裏面には、軸支部２０、２０が壁部１９に通気用切欠部２０ａ、２０ａを設けて連続して形成され、軸支部２０、２０には、軸受円板２１、２１（図３）を各々回転自在に支持する円弧状の軸受溝２２、２２が形成される。
【００２６】
また、軸支部２０、２０には軸受溝２２、２２の各々内側に隣接して、プーリ収容溝２３ａ、カップリング収容溝２３ｂが設けられる。
【００２７】
従って、下ケース４に設けられる主吸込口８、プーリ収容溝２３ａ、カップリング収容溝２３ｂおよび車輪収容部１２、１２には、図７に示す回転体組立２４が収容可能になる。
【００２８】
図７は本吸込口体に用いる回転体組立の分解斜視図であり、図８は垂直駆動車輪および斜め車輪近傍を拡大して示す平面図である。
【００２９】
図７および図８に示すように、この回転体組立２４は、両側を連結軸２９で回転支持される回転清掃体７と、この回転清掃体７の一側（図中左側）に設けられ、ブラシ側カップリング２６ａ１と軸受側カップリング２６ａ２からなるカップリング２６ａと、結合用のギヤ部２７を備え、このギヤ部２７を介して軸受側カップリング２６ａ２が固着され、表面がギヤ歯状に形成された従動プーリ２８と、従動プーリ２８に連設された軸受円板２１が連結軸２５に取付けられ、さらに、この軸受円板２１の外側に設けられた垂直駆動車輪１０、１０および円盤状の清掃部材であり、毛ブラシである斜め車輪１１、１１が設けられる。
【００３０】
垂直駆動車輪１０、１０が回転軸３０、３０に直交して、斜め車輪１１、１１が回転軸３０、３０に斜めに取付けられる。
【００３１】
この回転軸３０は、非軸支（開放）状態では、直線状態であり、持軸支状態では、一部が略円弧状あるいはヘ字状に屈折され、屈折された状態で回転自在になる。
【００３２】
また、回転軸３０は、例えば、可撓性を有し、合成樹脂からなる丸棒であり、その一端が軸受円板２１に固着され、他端がケース体２の側面であるバンパー部材１３、１３に設けた軸受部３１、３１に軸支されて、回転清掃体７の軸心に対して一定方向に傾斜して延び、回転清掃体７と共廻りする。
【００３３】
従って、斜め車輪１１、１１は、ケース体２の側面の一部をなすバンパー部材１３、１３と軸支部２０、２０間、例えば垂直駆動車輪１０、１０を介して略三角形状の空間部Ｓ１を形成するように傾斜して、回転軸３０、３０に取付けられる。略三角形状の空間部には、頂角部分が完全に接触（閉じた）三角形状の空間部、頂角部分がわずかに離れた略台形状の空間部も含む。
【００３４】
回転軸は、安価で構造が簡単な可撓性を有する合成樹脂からなる丸棒が好ましいが、これに限定されるものではなく、ユニバーサルジョイントなど他の軸であってもよい。
【００３５】
なお、垂直駆動車輪を設けない場合には、ケース体の側壁と軸支部間に直接略三角形状の空間部が設けられる。
【００３６】
一方、回転清掃体７の他側（図中右側）には、同様にカップリング２６ａ２、軸受円板２１が連結軸２５に取り付けられ、軸受円板２１の外側に設けられた垂直駆動車輪１０、１０および斜め車輪１１、１１が設けられる。ケース体２の側面のバンパー部材１３、１３と軸支部２０、２０間、例えば垂直駆動車輪１０、１０を介して略三角形状の空間部Ｓ１を形成するように傾斜して、回転軸３０、３０に取付けられる。
【００３７】
垂直駆動車輪１０および斜め車輪１１は、外周面が平坦な円筒面状に形成され、この外周面に長い毛の不繊布が帯状に取り付けられる。
【００３８】
図９は垂直駆動車輪および斜め車輪近傍の空気流を説明する平面図である。
【００３９】
図９に示すように、斜め車輪１１の先端１１ａが、略ケース体２の角部２ａに達して、一方、略三角形状の空間部Ｓ１の頂点である垂直駆動車輪１０と斜め車輪１１の接触点（線）の後方には、通気用切欠部２０ａを含む通気路Ｐが設けられる。この通気路Ｐは壁部１９とケース体２の側面のバンパー部材１３によって画成され、壁部１９に設けた連通路Ｒに連通する。
【００４０】
従って、空間部Ｓ１は長い毛の不繊布同士の接触であり、実線矢示するように、通気性を有する空間部Ｓ１の頂点および通気路Ｐを介して連通路Ｒに通気的に連通される。
【００４１】
回転体組立２４が下ケース４に収容された状態では、図６および図９に示すように、軸受溝２２、２２には、軸受円板２１、２１が回転自在に収容支持される。
【００４２】
また、プーリ収容溝２３ａには、連結軸２５に嵌合固定され、いずれも図５に示すモータ１６、駆動プーリ３２により走行するベルト３３によって回転される従動プーリ２８が回転自在に収容され、さらに、図７に示す軸側カップリング２６ａ２およびこの軸側カップリング２６ａ２に結合するブラシ側カップリング２６ａ１が収容される。
【００４３】
カップリング収容溝２３ｂには、図７に示すカップリング２６ａが収容され、車輪収容部１２、１２には駆動車輪１０、１０および斜め車輪１１、１１が収容される。
【００４４】
従って、回転清掃体７、駆動車輪１０、１０および斜め車輪１１、１１は、軸受円板２１、２１および軸受溝２２、２２を介して、軸支部２０、２０および軸受部３１、３１によって回転自在に軸支される。また、回転清掃体７、駆動車輪１０ｂおよび斜め車輪１１、１１は、一体的あるいはカップリング２６ａで分離して、下ケース４から容易に取り外せる。
【００４５】
前カバー６は、軸支部２０、２０の両端間に亘って連続する横長状に形成され、側面視（図４）で回転清掃体７および摺接部９、９の外周に沿って円弧状に湾曲している。
【００４６】
前カバー６のケース体２への回動自在な取り付けは、前カバー６に設けた複数の取付部６ａおよび、下ケース４に設け、いずれも図示しない複数の取付部を貫通する取付軸を用いて行い、前カバー６の前方への常時の付勢は、取付軸が貫通して取り付けられるトーションバネによって行う。
【００４７】
なお、図５において、符号３４、３４は、摺接部９、９の走行方向の延長線上に設けた後側長起毛布であり、吸込口体１の走行を容易にする。図６において、符号３５は補助車輪であり、表面は起毛布で覆われている。
【００４８】
次に本発明に係る電気掃除機を用いた掃除について、図１、３、５、９を参照して説明する。
【００４９】
掃除の際には、まず、作業者は、掃除機本体５２のホース接続口５２ａに、集塵ホース５３、手元操作パイプ５４、延長管５５および吸込口体１を順次連通接続する。
【００５０】
さらに、作業者が、掃除機本体５２から電源コードを引き出して図示しないコンセントに接続した後、設定ボタン５４ａを操作すると、この設定ボタン５４ａにより設定された動作モードに応じて電動送風機５７が駆動される。
【００５１】
そして、作業者は、把持部５４ｂを把持して床面上で吸込口体１を前後に走行させる。垂直駆動車輪１０、１０は回転して、吸込口体１の走行を助ける。
【００５２】
吸込負圧と回転清掃体７の作用により、吸込口体１の走行に伴って、吸込口８から被清掃面に溜まった塵埃を連続的に空気とともに吸い込む。
【００５３】
一方、斜め車輪１１は、吸込口体１の進退方向に対して傾斜した状態で回転する。
【００５４】
斜め車輪１１は、垂直駆動車輪１０との間に略三角形状の空間部Ｓ１を形成されるように傾斜して回転軸３０に取付けられ、斜め車輪１１の先端１１ａが、略ケース体２の角部２ａに達しているので、斜め車輪１１の回転に伴って、壁際あるいは壁角部の塵埃ははじき飛ばされ、空間部Ｓ１に吸込まれ、さらに、通気用切欠部２０ａ、通気路Ｐを介して、連通路Ｒへと吸込まれる。斜め車輪１１は毛ブラシであるので、壁際あるいは壁角部の掃除を確実に行うことができる。
【００５５】
また、斜め車輪１１の先端１１ａが、略ケース体２の角部２ａに達しており、斜め車輪１１により、壁際あるいは壁角部の掃除を行うことができるとともに、はじき飛ばされた塵埃を含む空気が、図９実線で矢示するように、メス空間部Ｓ１、通気路Ｐを介して、連通路Ｒへと確実に吸込まれる。
【００５６】
従って、吸込口体が部屋壁や角部と回転清掃体間に大きな間隙が生じ、また、本体ケースの側壁と回転清掃体に間隙と吸込通風路が連通していないため、壁際特に角部に掃除が十分にできない従来とは異なり、壁際特に壁角部の掃除を確実に行うことができる。
【００５７】
本実施形態の吸込口体およびこれを備えた電気掃除機によれば、壁際特に角部の掃除を十分に行うことができる吸込口体及びこれを用いた電気掃除機が実現する。
【００５８】
なお、上記構成は、アップライト形や床ブラシが搭載可能なハンディ形にも使用することが可能である。
【図面の簡単な説明】
【００５９】
【図１】本発明の一実施形態の電気掃除機の概念図。
【図２】本発明の一実施形態の吸込口体の斜視図。
【図３】本発明の一実施形態の吸込口体のケース体を除去して示す概念図。
【図４】本発明の一実施形態の吸込口体を分解して示す斜視図。
【図５】本発明の一実施形態の吸込口体の底面を示す斜視図。
【図６】本発明の一実施形態の吸込口体のケース体を下面から見た斜視図。
【図７】本発明の一実施の形態の吸込口体に用いる回転体組立の分解斜視図。
【図８】本発明の一実施の形態の吸込口体の垂直駆動車輪および斜め車輪近傍を拡大して示す平面図。
【図９】本発明の一実施の形態の吸込口体の垂直駆動車輪および斜め車輪近傍の空気流を説明する平面図。
【符号の説明】
【００６０】
１  吸込口体
２  ケース体
２ａ  角部
３  接続管
４  下ケース
４ａ  穴部
５  上ケース
６  前カバー
６ａ  取付部
７  回転清掃体
８  吸込口
８Ａ  主吸込口
８Ｂ  前側吸込口
９  摺接部
１０  垂直駆動車輪
１１  斜め車輪
１１ａ  先端
１２  車輪収容部
１３  バンパー部材
１４  車輪
１５  カバー体
１６  モータ
１７  安全装置
１８  回路基板
１９  壁部
２０  軸支部
２０ａ  通気用切欠部
２１  軸受円板
２２  軸受溝
２３ａプーリ収容溝
２３ｂカップリング収容溝
２４  回転体組立
２６ａ  カップリング
２６ａ１  ブラシ側カップリング
２６ａ２  軸受側カップリング
２７  ギヤ部
２８  従動プーリ
２９  連結軸
３０  回転軸
３１  軸受部
３２  駆動プーリ
３３  ベルト
３４  後側長起毛布
３５  補助車輪
５１  電気掃除機
５２  掃除機本体
５２ａ  ホース接続口
５３  集塵ホース
５４  手元操作パイプ
５４ａ  設定ボタン
５４ｂ  把手部
５５  延長管
５６  集塵室
５７  電動送風機
Ｐ  通気路
Ｓ１  空間部
Ｒ  連通路
【図１】
2010148672.tif 000003
【図２】
2010148672.tif 000004
【図３】
2010148672.tif 000005
【図４】
2010148672.tif 000006
【図５】
2010148672.tif 000007
【図６】
2010148672.tif 000008
【図７】
2010148672.tif 000009
【図８】
2010148672.tif 000010
【図９】
2010148672.tif 000011